【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
導電性材料でドーピングした、導電性アルカリ塩を含み、エステル硬化させたアルカリ性フェノール系レゾール樹脂を含んでなる、電極。
【請求項２】
前記樹脂と導電性材料との重量比が０．００１〜１００：１である、請求項１に記載の電極。
【請求項３】
前記導電性材料が、炭素および／または非炭素導電性充填材を含んでなる、請求項１または２に記載の電極。
【請求項４】
前記炭素がグラファイトまたは無定形炭素の形態にあり、かつ／もしくは前記非炭素導電性充填材が、金属、金属酸化物、および／または金属被覆されたグラファイト、および／またはガラスの形態にある、請求項３に記載の電極。
【請求項５】
前記樹脂が、エステル硬化剤と、フェノール系レゾールおよび塩基との反応生成物である、請求項１〜４のいずれか一項に記載の電極。
【請求項６】
前記フェノール系レゾールが、フェノール反応性アルデヒドと式：
【化１】
2006524890.tif 000001
（式中、Ｒ１は、直鎖状または分岐鎖状の、所望により不飽和の、１〜８個の炭素原子（好ましくは１〜４個の炭素原子、より好ましくは１〜２個の炭素原子）を含み、所望によりハロゲン原子（好ましくは塩素）またはヒドロキシ基により置換されたアルキル基、ハロゲン原子（好ましくは塩素）、ヒドロキシ基、および／またはフェニルまたはベンジル基（所望によりヒドロキシ基および／または直鎖状または分岐鎖状の、１〜８個の炭素原子（好ましくは１〜４個の炭素原子、より好ましくは１〜２個の炭素原子）を含み、所望によりハロゲン原子（好ましくは塩素）またはヒドロキシ基により置換されたアルキル基により置換されている）であり、
Ｍは、水素イオンと少なくとも一種の他の陽イオン（好ましくは、前記少なくとも一種の他の陽イオンは、アルカリ金属陽イオン（好ましくはナトリウム、リチウムまたはカリウム）、アルカリ土類金属陽イオン（好ましくはバリウム、マグネシウムまたはカルシウム）、および／またはＮ（Ｒ２）４＋イオン（ここで各Ｒ２は、同一であるか、または異なるものであって、水素または直鎖状または分岐鎖状の、１〜４個の炭素原子を含むアルキル基）である）の混合物であり、水素イオンと前記少なくとも一種の他の陽イオンのモル比は、ｐＨが７を超えるのに十分であり、好ましくは２：１〜１：１であり、
ｎは０〜２である）
のアルカリ性化合物の反応生成物である、請求項５に記載の電極。
【請求項７】
前記フェノール反応性アルデヒドが、式：
ＲＣＨＯ                            (II)
（式中、Ｒは水素原子、または直鎖状または分岐鎖状の、１〜８個（好ましくは１〜４個、より好ましくは１〜２個、最も好ましくは１個）の炭素原子を含むアルキル基を表す）
の化合物、または式(II)の化合物の前駆物質である、請求項６に記載の電極。
【請求項８】
前記フェノール反応性アルデヒドが前記式(I)の化合物と、１：１〜１：３、好ましくは１：１．２〜１：３、より好ましくは１：１．５〜１：３の比で反応する、請求項６または７に記載の電極。
【請求項９】
前記エステル硬化剤が、式：
Ｒ３ＣＯＯＲ４                      (III)
（式中、Ｒ３は、水素原子または直鎖状または分岐鎖状の、１〜８個の炭素原子（好ましくは１〜４個、より好ましくは１〜２個の炭素原子）を含み、所望によりハロゲン原子により置換されたアルキル基を表し、
Ｒ４は、直鎖状または分岐鎖状の、１〜８個の炭素原子（好ましくは１〜４個、より好ましくは１〜２個の炭素原子）を含み、所望により一個以上のヒドロキシおよび／またはＲ３ＣＯＯ基により置換されたアルキル基、または
所望により直鎖状または分岐鎖状の、所望により不飽和の、１〜８個の炭素原子（好ましくは１〜４個の炭素原子、より好ましくは１〜２個の炭素原子）を含み、所望によりヒドロキシ基により置換されたアルキル基、ハロゲン原子（好ましくは塩素）、ヒドロキシ基、および／またはフェニルまたはベンジル基（所望によりヒドロキシ基および／または直鎖状または分岐鎖状の、１〜８個の炭素原子（好ましくは１〜４個、より好ましくは１〜２個の炭素原子）を含むアルキル基により置換されてなる）により置換されたフェニル基
を表すか、または
Ｒ３は、Ｒ４との化学結合を表し、Ｒ４は、直鎖状または分岐鎖状の、２〜１０個の炭素原子（好ましくは２〜４個の炭素原子）を含むアルキル基を表す）
を有する、請求項５〜８のいずれか一項に記載の電極。
【請求項１０】
前記樹脂が、前記樹脂の可撓性を増加するために可塑剤を含む、請求項１〜９のいずれか一項に記載の電極。
【請求項１１】
ガス流を導くための一個以上のフローフィールドを有する燃料電池で使用するのに好適なセパレータプレートであって、前記プレートが、導電性アルカリ塩を含み、エステル硬化させたアルカリ性フェノール系レゾール樹脂を含んでなる、セパレータプレート。
【請求項１２】
前記樹脂が、請求項２〜１０のいずれか一項に規定されたものである、請求項１２に記載のセパレータプレート。
【請求項１３】
２個のフローフィールドを有する、請求項１１または１２に記載のセパレータプレート。
【請求項１４】
導電性アルカリ塩を含み、エステル硬化させたアルカリ性フェノール系レゾール樹脂を含んでなる、電気装置で使用するのに好適な電解質。
【請求項１５】
前記樹脂が、請求項１〜１０のいずれか一項、好ましくは請求項５〜１０のいずれか一項に規定されたものである、請求項１４に記載の電解質。
【請求項１６】
（ａ）負電極、
（ｂ）正電極、および
（ｃ）電解質手段、ならびに、所望により
（ｄ）セパレータおよび／または双極性プレート
を含んでなる電気装置であって、一個以上の電極、電解質および／またはセパレータまたは双極性プレートが、導電性アルカリ塩を含み、エステル硬化させたアルカリ性フェノール系レゾール樹脂を含んでなる、電気装置。
【請求項１７】
前記樹脂が、請求項１〜１０のいずれか一項に規定されたものである、請求項１６に記載の電気装置。
【請求項１８】
前記セパレータプレートが請求項１１〜１３のいずれか一項に規定されたものである、請求項１６または１７に記載の電気装置。
【請求項１９】
電池、２個以上の電池を含むバッテリー、またはコンデンサーである、請求項１６〜１８のいずれか一項に記載の電気装置。
【請求項２０】
前記電解質手段が、電解質の形態にあるか、または電解質を受け入れるように配置されている、請求項１６〜１９のいずれか一項に記載の電気装置。
【請求項２１】
前記電解質手段が、前記電池が作動する際に電解質が流れることができる導管の形態にあるか、または少なくとも前記電池が作動する際に電解質を入れることができる容器の形態にある、請求項２０に記載の電気装置。
【請求項２２】
導電性材料でドーピングした、導電性アルカリ塩を含み、エステル硬化させたアルカリ性フェノール系レゾール樹脂を発泡させた立体的な形態の、電極としての使用。
【請求項２３】
導電性材料でドーピングした、導電性アルカリ塩を含み、エステル硬化させたアルカリ性フェノール系レゾール樹脂の、電極としての使用。
【請求項２４】
導電性アルカリ塩を含み、エステル硬化させたアルカリ性フェノール系レゾール樹脂の、電極としての使用。
【請求項２５】
導電性アルカリ塩を含み、エステル硬化させたアルカリ性フェノール系レゾール樹脂の、電磁遮蔽材料としての使用。
【請求項２６】
導電性アルカリ塩を含み、エステル硬化させたアルカリ性フェノール系レゾール樹脂の、任意の場所における静電気放電を防止するための使用。
【請求項２７】
前記エステル硬化させた塩含有アルカリ性レゾール樹脂が、請求項１〜１０のいずれか一項に規定されたものである、請求項２２〜２６のいずれか一項に記載の使用。
【請求項２８】
電子製品における電磁的干渉を抑制する方法であって、前記電子製品をエステル硬化させた塩含有アルカリ性レゾール樹脂で遮蔽することを含む、方法。
【請求項２９】
前記遮蔽が、エステル硬化させた塩含有アルカリ性レゾール樹脂から少なくとも部分的に構築されたハウジングを前記電子製品に備えることを含む、請求項２８に記載の方法。
【請求項３０】
任意の場所における静電気放電を防止する方法であって、エステル硬化させた塩含有アルカリ性レゾール樹脂を前記場所に備えてなることを含む、方法。
【請求項３１】
前記エステル硬化させた塩含有アルカリ性レゾール樹脂が、請求項１〜１０のいずれか一項に規定されたものである、請求項２８〜３０のいずれか一項に記載の方法。